(57)【要約】【課題】本発明は、かしめ片による損傷を防止すると共に、かしめ片からの外れが防止された防水ゴム栓を提供することを目的とする。【解決手段】縦リブ２３と当接することで、インシュレーションバレル１６は取付部２１の外側面に深く食い込まないようになっているから、取付部２１が損傷されることを防止できる。また、縦リブ２３は、電線１１の挿通方向に沿って形成されているから、この縦リブ２３により、電線１１の挿通方向に加わる引張力を受け止めることができる。これにより、インシュレーションバレル１６から取付部２１が抜けることを防止できる。さらに、縦リブ２３は、取付部２１の周方向に沿って所定間隔を隔てて複数条形成されており、取付部２１の周方向について略一様に締付けることができるから、インシュレーションバレル１６から取付部２１が抜けることを一層防止できる。【選択図】図１
2007227164.tif 000002
【特許請求の範囲】
【請求項１】
電線を挿通可能な筒状をなすと共に、前記電線を挿通した状態でコネクタハウジングに形成されたキャビティ内に挿入され、前記キャビティの内壁と当接することで前記電線と前記キャビティの内壁との間をシールする本体部と、
前記本体部に連なると共に前記電線を挿通可能な筒状に形成されてなり、前記電線が挿通された状態で端子金具に形成されたかしめ片により外方からかしめ付けられることで前記電線と共に前記端子金具に固定される取付部とを備えてなる防水ゴム栓であって、
前記取付部の外側面には、前記電線の挿通方向に延びると共に、前記取付部の周方向に所定間隔を隔てて突出する複数条の縦リブが設けられていることを特徴とする防水ゴム栓。
【請求項２】
前記取付部の外側面には、前記取付部の周方向に沿って環状に形成されると共に、前記電線の挿通方向に所定間隔を隔てて突出する複数条の横リブが設けられていることを特徴とする請求項１記載の防水ゴム栓。
【請求項３】
前記縦リブの外面は、前記取付部の先端に向かって下り勾配に形成されていることを特徴とする請求項１または請求項２記載の防水ゴム栓。
【発明の詳細な説明】
【技術分野】
【０００１】
本発明は、防水ゴム栓に関する。
【背景技術】
【０００２】
従来より、防水ゴム栓としては特許文献１記載のものが知られている。このものは、電線を挿通可能な筒状をなし、電線が挿通された状態でコネクタハウジングに形成されたキャビティ内に挿入されて、キャビティの内壁と当接することで電線とキャビティの内壁との間をシールするようになっている。この防水ゴム栓は、キャビティの内壁と当接するフランジ部と、このフランジ部に連なって形成されてなり、電線が挿通された状態で端子金具に形成されたインシュレーションバレルに外方からかしめ付けられることで、電線と共に端子金具に固定されるスリーブ部とを備えてなる。このスリーブ部の外側面には、スリーブ部の周方向に沿って環状に突出する突条が形成されている。この突条を形成することにより、インシュレーションバレルを強く締付けてもインシュレーションバレルがスリーブ部に深く食い込むことを防止できるので、スリーブ部が損傷することを防止できる。
【特許文献１】実開昭６３−１６５７８０号公報
【発明の開示】
【発明が解決しようとする課題】
【０００３】
しかしながら上記の構成によると、スリーブ部のうち突条が形成された部分しかインシュレーションバレルがかしめつけられていないため、例えば電線に対して、端子金具がキャビティから抜ける方向の力が加わった場合に、インシュレーションバレルの締め付け力が不足し、インシュレーションバレルからスリーブ部が外れやすくなるという問題点がある。
【０００４】
本発明は上記のような事情に基づいて完成されたものであって、かしめ片による損傷を防止すると共に、かしめ片からの外れが防止された防水ゴム栓を提供することを目的とする。
【課題を解決するための手段】
【０００５】
上記の目的を達成するための手段として、請求項１の発明は、電線を挿通可能な筒状をなすと共に、前記電線を挿通した状態でコネクタハウジングに形成されたキャビティ内に挿入され、前記キャビティの内壁と当接することで前記電線と前記キャビティの内壁との間をシールする本体部と、前記本体部に連なると共に前記電線を挿通可能な筒状に形成されてなり、前記電線が挿通された状態で端子金具に形成されたかしめ片により外方からかしめ付けられることで前記電線と共に前記端子金具に固定される取付部とを備えてなる防水ゴム栓であって、前記取付部の外側面には、前記電線の挿通方向に延びると共に、前記取付部の周方向に所定間隔を隔てて突出する複数条の縦リブが設けられていることを特徴とする。
【０００６】
請求項２の発明は、請求項１記載のものにおいて、前記取付部の外側面には、前記取付部の周方向に沿って環状に形成されると共に、前記電線の挿通方向に所定間隔を隔てて突出する複数条の横リブが設けられていることを特徴とする。
【０００７】
請求項３の発明は、請求項１または請求項２記載のものにおいて、前記縦リブの外面は、前記取付部の先端に向かって下り勾配に形成されていることを特徴とする。
【発明の効果】
【０００８】
＜請求項１の発明＞
請求項１の発明によれば、取付部には縦リブが形成されているから、かしめ片が取付部の外側面に深く食い込まないようになっている。この結果、かしめ片により取付部が損傷されることを防止できる。
【０００９】
また、例えば電線に対して端子金具がキャビティから抜ける方向の力が加わるなど、防水ゴム栓に対して電線の挿通方向に沿う方向の力が加えられた場合でも、取付部には電線の挿通方向に沿って延びる縦リブが形成されているから、電線の挿通方向に沿う方向の力は縦リブにかしめ付けられたかしめ片により確実に受け止められる。この結果、かしめ片から取付部が抜けることを防止できる。
【００１０】
さらに、縦リブは取付部の周方向に所定間隔を隔てて複数条形成されているから、かしめ片は周方向からも取付部を確実に保持できる。
【００１１】
＜請求項２の発明＞
請求項２の発明によれば、取付部には、その周方向に環状に形成された横リブが形成されているから、かしめ片は周方向からも一層確実に取付部を保持できる。
【００１２】
＜請求項３の発明＞
請求項３の発明によれば、縦リブの外面は先端に向かって下がり勾配になっている、これにより、かしめ片により取付部をかしめつけた際の応力が緩和されるから、取付部が損傷されることを一層確実に防止できる。
【発明を実施するための最良の形態】
【００１３】
本発明の一実施形態を図１ないし図３を参照して説明する。本実施形態に係る防水ゴム栓１０は、電線１１を挿通可能な筒状をなし、この電線１１が挿通した状態で、コネクタハウジング１２に形成されたキャビティ１３内に収容されて、このキャビティ１３の内壁と当接することで、電線１１とキャビティ１３の内壁との間をシールするようになっている（図３参照）。
【００１４】
コネクタハウジング１２は合成樹脂製であって、端子金具１４を収容するためのキャビティ１３が形成されている。端子金具１４は、電線１１の端末及びこの電線１１に外嵌された防水ゴム栓１０にかしめつけられるバレル部１５と、このバレル部１５に連なって形成され、相手側端子金具１４（図示せず）と電気的に接続される接続部（図示せず）とを備えてなる。
【００１５】
バレル部１５は、防水ゴム栓１０に外方からかしめつけられるインシュレーションバレル１６（本発明に係るかしめ片に該当）と、電線１１の芯線１７にかしめつけられるワイヤバレル１８とを備えてなる。ワイヤバレル１８が芯線１７にかしめつけられることで端子金具１４と電線１１とが電気的に接続されるようになっている。
【００１６】
防水ゴム栓１０は筒状をなしており、電線１１を挿通可能な電線挿通孔１９が、図２における左右方向に貫通して設けられている。この防水ゴム栓１０は、電線１１を挿通した状態でキャビティ１３の内壁に当接することで電線１１とキャビティ１３の内壁とをシールする本体部２０と、この本体部２０のうち電線１１の挿通方向前方（図２における右方）に連なって形成されてなり、電線１１を挿通した状態で上述したインシュレーションバレル１６に外方からかしめ付けられることで、電線１１と共に端子金具１４に固定される取付部２１とを備えてなる。
【００１７】
本体部２０の外側面のうち、図１における右側には、この本体部２０の周方向に沿って環状に形成された図示２条のリップ２２が突出して周設されている。図３に示すように、このリップがキャビティ１３の内壁に密着することで、電線１１とキャビティ１３の内壁との間がシールされるようになっている。
【００１８】
さて、取付部２１は電線１１を挿通可能な筒状をなしており、この取付部２１の外側面は、本体部２０の外側面から、内方に一段下がって形成されている。取付部２１の外側面には、電線１１の挿通方向（図１における左右方向）に延びると共に、外方に突出する縦リブ２３が形成されている。この縦リブ２３は、取付部２１の周方向に沿って所定間隔を隔てて複数条形成されている。縦リブ２３の外面は、本体部２０との境界部分側から先端側（図１における右方）に向って下がり勾配に形成されている。
【００１９】
また、取付部２１の外側面には、取付部２１の周方向に沿って環状に形成された横リブ２４が突出して周設されている。この横リブ２４は、電線１１の挿通方向に沿って所定間隔を隔てて複数条形成されている。
【００２０】
上述の縦リブ２３及び横リブ２４は、取付部２１の外側面に略格子状をなして形成されている。縦リブ２３の外面と横リブ２４の外面とは略整合するようになっており、且つ、本体部２０の外側面よりも僅かに内方に下がって形成されている。
【００２１】
取付部２１の先端（図１における右方）は、先細り状に形成されており、コネクタハウジング１２のキャビティ１３内に端子金具１４を挿入する際に、防水ゴム栓１０がキャビティ１３内に案内されやすいようになっている。
【００２２】
図３に示すように、防水ゴム栓１０の電線挿通孔１９内に電線１１が挿通された状態で、端子金具１４のインシュレーションバレル１６が防水ゴム栓１０の取付部２１に外方からかしめつけられることで、電線１１と、防水ゴム栓１０とが端子金具１４に固定されている。インシュレーションバレル１６は、取付部２１の縦リブ２３及び横リブ２４の外面に当接しており、取付部２１の外側面に深く食い込まないようになっている。また、端子金具１４がコネクタハウジング１２のキャビティ１３内に挿入された状態で、インシュレーションバレル１６の外面は、キャビティ１３の内壁から離間するようになっている。
【００２３】
続いて、本実施形態の作用、効果について説明する。まず防水ゴム栓１０の電線挿通孔１９内に、防水ゴム栓１０の本体側から電線１１を挿通し、防水ゴム栓１０の取付部２１側から突出した電線１１の端部の被覆を剥がして芯線１７を露出させ、端子金具１４のワイヤーバレルを芯線１７にかしめつけて電線１１と端子間具とを電気的に接続すると共に、端子金具１４のインシュレーションバレル１６を防水ゴム栓１０の取付部２１に対して、外方から抱くようにしてかしめつけることで、電線１１とゴム栓とを端子金具１４に固定する。
【００２４】
取付部２１の外側面に突設された縦リブ２３及び横リブ２４と当接することにより、インシュレーションバレル１６は取付部２１の外側面に深く食い込まないようになっているから、例えばインシュレーションバレル１６の縁部が取付部２１に食い込むことで取付部２１に亀裂が生じる等、取付部２１が損傷を受けることを防止できる。さらに、縦リブ２３は先端に向かうにつれて内方に下がり勾配になっているから、インシュレーションバレル１６をかしめ付けたときの応力が緩和される。これにより取付部２１が損傷されるのを一層防止できる。
【００２５】
また、縦リブ２３は、電線１１の挿通方向に沿って形成されているから、この縦リブ２３により、例えば、端子金具１４のキャビティ１３からの抜け方向に電線１１が引っ張られた際に、電線１１の挿通方向に加わる引張力を支えることができる。これにより、インシュレーションバレル１６から取付部２１が抜けることを防止できる。さらに、縦リブ２３は、取付部２１の周方向に沿って所定間隔を隔てて複数条形成されているから、取付部２１の周方向について略一様に締付けることができる。これにより、インシュレーションバレル１６から取付部２１が抜けることを一層防止できる。その上、本実施形態においては横リブ２４が、取付部２１の周方向に環状に突出するとともに、電線１１の挿通方向に所定間隔を隔てて複数条形成されているから、電線１１の周方向について取付部２１を一層しっかりと保持することができる。これにより、インシュレーションバレル１６から取付部２１が抜けることを一層確実に防止できる。
【００２６】
続いて、コネクタハウジング１２のキャビティ１３内に端子金具１４を挿入する。このとき防水ゴム栓１０の取付部２１の先端は先細り形状になっているから、防水ゴム栓１０をキャビティ１３の入口内に挿入しやすくなっている。端子金具１４をさらに押し込むと、リップ２２がキャビティ１３の内壁に押圧されて弾性変形し、この弾発力によりリップ２２とキャビティ１３の内壁とが密着する。これにより、電線１１とキャビティ１３の内壁とがシールされる。
【００２７】
以上説明したように、本実施形態によれば、取付部２１の外側面に突設された縦リブ２３及び横リブ２４により、インシュレーションバレル１６は取付部２１の外側面に深く食い込まないようになっているから、取付部２１が損傷することを防止できる。さらに、縦リブ２３は先端に向かうにつれて内方に下がり勾配になっているから、インシュレーションバレル１６をかしめ付けたときの応力が緩和される。これにより取付部２１が損傷するのを一層防止できる。
【００２８】
また、縦リブ２３は、電線１１の挿通方向に沿って形成されているから、この縦リブ２３により、例えば、端子金具１４のキャビティ１３からの抜け方向に電線１１が引っ張られた際に、電線１１の挿通方向に加わる引張力を支えることができる。これにより、インシュレーションバレル１６から取付部２１が抜けることを防止できる。さらに、縦リブ２３は、取付部２１の周方向に沿って所定間隔を隔てて複数条形成されており、取付部２１の周方向について略一様に締付けることができるから、インシュレーションバレル１６から取付部２１が抜けることを一層防止できる。その上、横リブ２４が取付部２１の周方向に環状に突出するとともに、電線１１の挿通方向に所定間隔を隔てて複数条形成されているから、取付部２１は電線１１の周方向について一層しっかりと保持される。
【００２９】
＜他の実施形態＞
本発明は上記記述及び図面によって説明した実施形態に限定されるものではなく、例えば次のような実施形態も本発明の技術的範囲に含まれる。
【００３０】
（１）本実施形態では、縦リブ２３及び横リブ２４の双方が形成される構成としたが、縦リブ２３のみを設けることでインシュレーションバレル１６から取付部２１が外れることを防止可能な場合には、横リブ２４は省略できる。
【００３１】
（２）本実施形態では、縦リブ２３の外面は先端に向かって下がり勾配に形成される構成としたが、これに限られず、縦リブ２３の外面は、本体部２０との境界部分から先端まで略一様な高さに形成される構成としてもよい。
【００３２】
（３）本発明に係る端子金具１４は、雌側端子金具に適用可能であり、また、雄側端子金具にも適用可能である。
【００３３】
（４）本実施形態においては、リップ２２の数は２条であったが、これに限られず、リップ２２の数は、１条でもよいし、また、３条以上であってもよい。
【図面の簡単な説明】
【００３４】
【図１】本実施形態に係る防水ゴム栓を示す側面図
【図２】図１におけるＡ−Ａ線断面図
【図３】防水ゴム栓の使用状態を示す一部拡大断面図
【符号の説明】
【００３５】
１０…防水ゴム栓
１１…電線
１２…コネクタハウジング
１３…キャビティ
１４…端子金具
１６…インシュレーションバレル（かしめ片）
２０…本体部
２１…取付部
２３…縦リブ
２４…横リブ
【図１】
2007227164.tif 000003
【図２】
2007227164.tif 000004
【図３】
2007227164.tif 000005